(57)【要約】【課題】  屋根ユニットを簡易かつ安定的に輸送可能にするとともに、輸送効率を向上すること。【解決手段】  両側の妻小壁１３、１３の上に屋根パネル１１を設けた屋根ユニット１０、２０の輸送方法において、両側の妻小壁１３、１３に挟まれる桁方向長さが異なる複数の屋根ユニット１０、２０のそれぞれを建物への据付姿勢に対して90度起立させ、桁方向長さＡの大なる屋根ユニット１０の内側に桁方向長さＢの小なる屋根ユニット２０を入れ子状に配置して輸送するもの。【選択図】  図１
2010255257.tif 000002
【特許請求の範囲】
【請求項１】
両側の妻小壁の上に屋根パネルを設けた屋根ユニットの輸送方法において、
両側の妻小壁に挟まれる桁方向長さが異なる複数の屋根ユニットのそれぞれを建物への据付姿勢に対して90度起立させ、桁方向長さの大なる屋根ユニットの内側に桁方向長さの小なる屋根ユニットを入れ子状に配置して輸送することを特徴とする屋根ユニットの輸送方法。
【請求項２】
両側の妻小壁の上に屋根パネルを設けた屋根ユニットの輸送方法において、
両側の妻小壁に挟まれる桁方向長さの大なる屋根ユニットの内側に桁方向長さの小なる屋根ユニットを入れ子状に配置して輸送するに際し、
桁方向長さの大なる屋根ユニットにおける屋根パネルの裏面側に、当該屋根ユニットの野縁パネルを仮止めしてなることを特徴とする屋根ユニットの輸送方法。
【請求項３】
前記桁方向長さの大なる屋根ユニットの裏面側に、当該屋根ユニットの野縁パネルの一端をヒンジ結合してなる請求項２に記載の屋根ユニットの輸送方法。
【請求項４】
両側の妻小壁の上に屋根パネルを設けた屋根ユニットにおいて、
屋根パネルの裏面側に、野縁パネルを仮止めしてなることを特徴とする屋根ユニット。
【請求項５】
前記屋根パネルの裏面側に、野縁パネルの一端をヒンジ結合してなる請求項４に記載の屋根ユニット。
【発明の詳細な説明】
【技術分野】
【０００１】
本発明は屋根ユニットの輸送方法及び屋根ユニットに関する。
【背景技術】
【０００２】
屋根ユニットの輸送方法として、特許文献１、２に記載のものがある。
特許文献１に記載の屋根ユニットの輸送方法は、両側の三角形状の妻小壁の上に屋根パネルを設けた複数の屋根ユニットを輸送するに際し、２個の屋根ユニットの屋根パネル同士を合せて輸送するものである。
【０００３】
特許文献２に記載の屋根ユニットの輸送方法は、両側の三角形状の妻小壁の上に屋根パネルを設けた複数の屋根ユニットを輸送するに際し、両側の妻小壁に挟まれる桁方向長さの大なる屋根ユニットの内側に、桁方向長さの小なる屋根ユニットを入れ子状に配置して輸送するものである。
【先行技術文献】
【特許文献】
【０００４】
【特許文献１】特開平8-244519
【特許文献２】特開2000-186390
【発明の概要】
【発明が解決しようとする課題】
【０００５】
特許文献１に記載の屋根ユニットの輸送方法は、トラックの荷台に載置した一方の屋根ユニットの傾斜状屋根パネルの上に、他方の屋根ユニットの傾斜状屋根パネルを載置して輸送するものであり、上側の屋根ユニットが下側の屋根ユニットの屋根パネルの傾斜面に沿って滑り降りることのないように上下の屋根ユニットを互いに強固に固定化する必要がある。また、各屋根ユニットがトラックの荷台上にそれぞれ別個独立の容積を占めるから、輸送効率の向上に困難がある。
【０００６】
特許文献２に記載の屋根ユニットの輸送方法は、トラックの荷台に小なる屋根ユニットを載置し、この小なる屋根ユニットを包むように該小なる屋根ユニットの上方に大なる屋根ユニットを配置するものであり、輸送効率を向上できる。ところが、特許文献２に記載の屋根ユニットの輸送方法では、小なる屋根ユニットに干渉するおそれのある大なる屋根ユニットの天井野縁パネルは、大なる屋根ユニットに輸送段階で取付けておくことができず、大なる屋根ユニットと別個に用意する必要がある。
【０００７】
本発明の課題は、屋根ユニットを簡易かつ安定的に輸送可能にするとともに、輸送効率を向上することにある。
【０００８】
本発明の他の課題は、屋根ユニットに野縁パネルを付帯させて輸送可能にしながら、輸送効率を向上することにある。
【課題を解決するための手段】
【０００９】
請求項１の発明は、両側の妻小壁の上に屋根パネルを設けた屋根ユニットの輸送方法において、両側の妻小壁に挟まれる桁方向長さが異なる複数の屋根ユニットのそれぞれを建物への据付姿勢に対して90度起立させ、桁方向長さの大なる屋根ユニットの内側に桁方向長さの小なる屋根ユニットを入れ子状に配置して輸送するようにしたものである。
【００１０】
請求項２の発明は、両側の妻小壁の上に屋根パネルを設けた屋根ユニットの輸送方法において、両側の妻小壁に挟まれる桁方向長さの大なる屋根ユニットの内側に桁方向長さの小なる屋根ユニットを入れ子状に配置して輸送するに際し、桁方向長さの大なる屋根ユニットにおける屋根パネルの裏面側に、当該屋根ユニットの野縁パネルを仮止めしてなるようにしたものである。
【００１１】
請求項３の発明は、請求項２の発明において更に、前記桁方向長さの大なる屋根ユニットの裏面側に、当該屋根ユニットの野縁パネルの一端をヒンジ結合してなるようにしたものである。
【００１２】
請求項４の発明は、両側の妻小壁の上に屋根パネルを設けた屋根ユニットにおいて、屋根パネルの裏面側に、野縁パネルを仮止めしてなるようにしたものである。
【００１３】
請求項５の発明は、請求項４の発明において更に、前記屋根パネルの裏面側に、野縁パネルの一端をヒンジ結合してなるようにしたものである。
【発明の効果】
【００１４】
（請求項１）
(a)各屋根ユニットをトラックの荷台の上で90度起立させた輸送姿勢とし、互いに入れ子状に配置する。各屋根ユニットをトラックの荷台の上で90度起立させ、それら屋根ユニットの桁トラスの面を荷台の上に載置させる輸送姿勢とすることにより、各屋根ユニットを簡易かつ安定的に輸送できる。
【００１５】
また、各屋根ユニットが軒側屋根ユニットであるときには、それら屋根ユニットの軒先を荷台に衝接させることなく上方に向ける輸送姿勢とすることにより、各屋根ユニットを簡易かつ安定的に輸送できる。
【００１６】
(b)各屋根ユニットをトラックの荷台の上で互いに入れ子状に配置して輸送することにより、各屋根ユニットがトラックの荷台上に占める容積を一部重複させるものにし、輸送効率を向上できる。
【００１７】
（請求項２）
(c)各屋根ユニットをトラックの荷台の上で互いに入れ子状に配置して輸送するに際し、小なる屋根ユニットに干渉するおそれのある大なる屋根ユニットの天井野縁パネルを大なる屋根ユニットにおける屋根パネルの裏面側に仮止めする。従って、大なる屋根ユニットの野縁パネルを該大なる屋根ユニットに輸送段階で付帯させておきながら、各屋根ユニットを互いに入れ子状に配置して輸送でき、輸送効率を向上できる。
【００１８】
（請求項３）
(d)上述(c)で、大なる屋根ユニットの裏面側に、当該屋根ユニットの野縁パネルの一端をヒンジ結合してなることにより、当該野縁パネルを建築現場でヒンジまわりに回転させるだけで直ちに当該屋根ユニットの天井部に水平設置できる。
【００１９】
（請求項４）
(e)両側の妻小壁の上に屋根パネルを設けた屋根ユニットにおいて、屋根パネルの裏面側に、野縁パネルを仮止めしてなることにより、屋根ユニットの輸送段階で当該屋根ユニットの内側を、他の小なる屋根ユニットを入れ子状に配置する等、他の物品等のための輸送スペースとして利用でき、輸送効率を向上できる。
【００２０】
（請求項５）
(f)上述(e)で、屋根ユニットにおける屋根パネルの裏面側に野縁パネルの一端をヒンジ結合してなることにより、当該野縁パネルを建築現場でヒンジまわりに回転させるだけで直ちに当該屋根ユニットの天井部に水平設置できる。
【図面の簡単な説明】
【００２１】
【図１】図１は屋根ユニットの輸送姿勢を示す模式斜視図である。
【図２】図２は屋根ユニットの反転状態を示す模式断面図である。
【図３】図３は屋根ユニットを示す模式斜視図である。
【図４】図４は屋根ユニットの現地据付過程を示す模式断面図である。
【図５】図５は屋根ユニットの現地据付状態を示す模式断面図である。
【図６】図６は屋根ユニットの変形例を示す模式断面図である。
【発明を実施するための形態】
【００２２】
図１に示す２個の軒側屋根ユニット１０、２０は、棟屋根ユニット等とともに、対応する複数個の各建物ユニットの上に載置固定されてユニット建物を構成する。
【００２３】
屋根ユニット１０（屋根ユニット２０も概ね同じ）は、図２に示す如く、屋根パネル１１と、屋根パネル１１の裏面反軒先側の桁方向に固定される桁トラス１２と、屋根パネル１１の裏面側の妻方向に固定される三角形状の妻小壁１３とから構成される。屋根ユニット１０は、概ね三角形状の小屋組を形成し、屋根パネル１１の軒先Ｆを妻小壁１３の軒側端より外方に突出している。尚、屋根パネル１１は横材１１Ａとたる木１１Ｂを枠組して構成される。桁トラス１２は下弦材１２Ａと縦材１２Ｂと斜材１２Ｃを、屋根パネル１１の反軒先側の横材１１Ａとともに枠組して構成される。妻小壁１３は横材１３Ａと縦材１３Ｂと屋根土台１３Ｃを枠組して構成される。屋根ユニット１０は、屋根パネル１１の裏面側で、両側の妻小壁１３、１３の軒側端間に固定される屋根土台１３Ｄを備える。
【００２４】
屋根ユニット１０は四角形状の天井野縁パネル１４を天井部に水平設置し得るように、付帯的に有する。野縁パネル１４は、屋根パネル１１の裏面側で、両側の妻小壁１３、１３の間にて、桁トラス１２の下弦材１２Ａと屋根土台１３Ｄに固定される。野縁パネル１４の下面に天上面材が貼り設けられるものになる。尚、野縁パネル１４は横材１４Ａと縦材１４Ｂを枠組して構成される。野縁パネル１４の一端の横材１４Ａの外面に取付桟１４Ｃを固定する。
【００２５】
屋根ユニット２０も、屋根ユニット１０と概ね同様に構成され、屋根パネル１１と桁トラス１２と妻小壁１３とから構成され、野縁パネル１４を付帯的に有する。
【００２６】
屋根ユニット１０と屋根ユニット２０が実質的に異なる第１点は、両側の妻小壁１３、１３に挟まれる桁方向長さＡ、Ｂ（図１）を異なるものにしている点にある。屋根ユニット１０は大なる桁方向長さＡを有し、屋根ユニット２０は屋根ユニット１０におけるよりも小なる桁方向長さＢを有する。
【００２７】
屋根ユニット１０と屋根ユニット２０が実質的に異なる第２点は、屋根ユニット１０が生産工場から建築現場への輸送段階で、屋根パネル１１の裏面側に野縁パネル１４を仮止めしてなることにある。屋根ユニット１０は、図３に示す如く、屋根パネル１１の裏面のたる木１１Ｂ上に野縁パネル１４を載置し、たる木１１Ｂに野縁パネル１４の横材１４Ａを木ねじ１５Ａにより仮固定するとともに、たる木１１Ｂの側面にねじ止めしてなる受木桟１６に野縁パネル１４の縦材１４Ｂを木ねじ１５Ｂにより仮固定する。尚、屋根ユニット２０は、工場生産段階から、桁トラス１２の下弦材１２Ａと屋根土台１３Ｄに野縁パネル１４を本固定する。
【００２８】
以下、上述した２個の屋根ユニット１０、２０を生産工場から建築現場に輸送する方法について説明する。
【００２９】
(1)両側の妻小壁１３、１３に挟まれる桁方向長さＡ、Ｂが異なる２個の屋根ユニット１０、２０のそれぞれを、建物への据付姿勢に対して90度起立させたものを、トラックの荷台上におけるそれらの輸送姿勢とする（図１（Ａ））。
【００３０】
この輸送姿勢では、各屋根ユニット１０、２０の桁トラス１２の面がトラックの荷台の上に載置されるものになり、各屋根ユニット１０、２０の屋根パネル１１の軒先Ｆが上方に向くものになる。
【００３１】
(2)桁方向長さＡの大なる屋根ユニット１０の内側に、桁方向長さＢの小なる屋根ユニット２０を入れ子状に配置して輸送する（図１（Ｂ））。
【００３２】
このとき、桁方向長さＡの大なる屋根ユニット１０における屋根パネル１１の裏面側には、前述の如く、当該屋根ユニット１０の野縁パネル１４が仮止めされている。
【００３３】
尚、屋根パネル１１の裏面側に野縁パネル１４を仮止めしてなる屋根ユニット１０は、建築現場で以下の如くに据付けられる。
【００３４】
(1)屋根ユニット１０が、図４に示す如く、対応する建物ユニット（不図示）の上、かつ隣接する棟屋根ユニット３０の側傍に据付けられる。
【００３５】
(2)屋根ユニット１０において、桁トラス１２の下弦材１２Ａの下側に、図４に示す如く、位置決め取付金物１７を木ねじ１５Ｃにより固定する。
【００３６】
(3)屋根ユニット１０における屋根パネル１１の裏面側に仮止めされている野縁パネル１４を取外し、図５に示す如く、野縁パネル１４の他端の横材１４Ａを位置決め取付金物１７の受部１７Ａに載せる。野縁パネル１４の一端の横材１４Ａに固定してある取付桟１４Ｃを屋根パネル１１の屋根土台１３Ｄに木ねじ１５Ｄにより固定し、他端の横材１４Ａを桁トラス１２の下弦材１２Ａに木ねじ１５Ｅにより固定する。その後、位置決め取付金物１７は取外す。
【００３７】
本実施例によれば以下の作用効果を奏する。
(a)各屋根ユニット１０、２０をトラックの荷台の上で90度起立させた輸送姿勢とし、互いに入れ子状に配置する。各屋根ユニット１０、２０をトラックの荷台の上で90度起立させ、それら屋根ユニット１０、２０の桁トラス１２の面を荷台の上に載置させる輸送姿勢とすることにより、各屋根ユニット１０、２０を簡易かつ安定的に輸送できる。
【００３８】
また、各屋根ユニット１０、２０が軒側屋根ユニット１０、２０であるときには、それら屋根ユニット１０、２０の軒先Ｆを荷台に衝接させることなく上方に向ける輸送姿勢をすることにより、各屋根ユニット１０、２０を簡易かつ安定的に輸送できる。
【００３９】
(b)各屋根ユニット１０、２０をトラックの荷台の上で互いに入れ子状に配置して輸送することにより、各屋根ユニット１０、２０がトラックの荷台上に占める容積を一部重複させるものにし、輸送効率を向上できる。
【００４０】
(c)各屋根ユニット１０、２０をトラックの荷台の上で互いに入れ子状に配置して輸送するに際し、小なる屋根ユニット２０に干渉するおそれのある大なる屋根ユニット１０の天井野縁パネル１４を大なる屋根ユニット１０における屋根パネル１１の裏面側に仮止めする。従って、大なる屋根ユニット１０の野縁パネル１４を該大なる屋根ユニット１０に輸送段階で付帯させておきながら、各屋根ユニット１０、２０を互いに入れ子状に配置して輸送でき、輸送効率を向上できる。
【００４１】
(d)両側の妻小壁１３、１３の上に屋根パネル１１を設けた屋根ユニット１０において、屋根パネル１１の裏面側に、野縁パネル１４を仮止めしてなることにより、屋根ユニット１０の輸送段階で当該屋根ユニット１０の内側を、他の小なる屋根ユニット２０を入れ子状に配置する等、他の物品等のための輸送スペースとして利用でき、輸送効率を向上できる。
【００４２】
図６に示す屋根ユニット１０が図３〜図５に示した屋根ユニット１０と実質的に異なる点は、屋根パネル１１の裏面側に野縁パネル１４の一端を蝶番等のヒンジ１８によりヒンジ結合することにより、屋根パネル１１の裏面側に野縁パネル１４を仮止めしたことにある。ヒンジ１８の両側の羽根のそれぞれを野縁パネル１４の一端の横材１４Ａに固定してある取付桟１４Ｃと、屋根パネル１１の屋根土台１３Ｄのそれぞれに取付ける。これによれば、前述(c)で、大なる屋根ユニット１０の裏面側に、当該屋根ユニット１０の野縁パネル１４の一端をヒンジ結合してなることにより、当該野縁パネル１４を建築現場でヒンジ１８まわりに回転させるだけで直ちに当該屋根ユニット１０の天井部の前述位置決め取付金物１７の受部１７Ａに載せて水平設置できる。その後、野縁パネル１４の一端の横材１４Ａに固定してある取付桟１４Ｃを屋根パネル１１の屋根土台１３Ｄに木ねじ１５Ｄにより固定し、他端の横材１４Ａを桁トラス１２の下弦材１２Ａに木ねじ１５Ｅにより固定するものになる。
【００４３】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は桁方向長さだけでなく、妻小壁の外郭形状が異なる複数の屋根ユニットを入れ子状に配置して輸送する際にも適用できる。
【００４４】
また、本発明は妻小壁の外郭形状を三角形状に限らず、台形状、五角形状等とする際にも適用できる。
【００４５】
また、本発明は軒先を有さない屋根ユニットにも適用できる。
【産業上の利用可能性】
【００４６】
本発明は、両側の妻小壁の上に屋根パネルを設けた屋根ユニットの輸送方法において、両側の妻小壁に挟まれる桁方向長さが異なる複数の屋根ユニットのそれぞれを建物への据付姿勢に対して90度起立させ、桁方向長さの大なる屋根ユニットの内側に桁方向長さの小なる屋根ユニットを入れ子状に配置して輸送する。従って、屋根ユニットを簡易かつ安定的に輸送可能にするとともに、輸送効率を向上することができる。
【符号の説明】
【００４７】
１０、２０  屋根ユニット
１１  屋根パネル
１２  桁トラス
１３  妻小壁
１４  野縁パネル
１８  ヒンジ
【図１】
2010255257.tif 000003
【図２】
2010255257.tif 000004
【図３】
2010255257.tif 000005
【図４】
2010255257.tif 000006
【図５】
2010255257.tif 000007
【図６】
2010255257.tif 000008